(57)【要約】【課題】自身の顔、回りの風景、静止画、動画の撮影が容易で、撮影した静止画、動画のリアルタイム画像、録画を送信可能な多機能ビデオテレビ電話を提供することを目的とする。【解決手段】電話機能、テレビ電話機能、スチールカメラ機能、ビデオカメラ機能、録画機能、ラジオ、テレビ受信機能を備えた多機能ビデオカメラ電話において、本体部と液晶パネルを備えたモニター部とが回転軸により回転自在に連結され、モニター部に第１撮影カメラを備え、本体部に第２撮影カメラを備え、音声、画像を送受信する通信機能を備え、前記液晶パネルに、受信した画像、第１撮影カメラによる画像、第２撮影カメラによる画像の何れかを選択し、選択された画像の、静止画像又は動画を選択的に表示する手段を備えることを特徴とする。【選択図】図１
2008160666.tif 000002
【特許請求の範囲】
【請求項１】
電話機能、テレビ電話機能、スチールカメラ機能、ビデオカメラ機能、録画機能、ラジオ、テレビ受信機能を備えた多機能ビデオカメラ電話において、本体部と液晶パネルを備えたモニター部とが回転軸により上下に回動可能に連結され、モニター部に第１撮影カメラを備え、本体部に第２撮影カメラを備え、音声、画像を送受信する通信機能を備え、前記液晶パネルに、受信した画像、第１撮影カメラによる画像、第２撮影カメラによる画像の何れかを選択し、選択された画像の、静止画像又は動画を選択的に表示する手段を備えることを特徴とする多機能ビデオカメラ電話。
【請求項２】
電源として、直接コンセントに接続する手段、太陽電池、回転式充電手段を備え、電源として何れかを選択することを特徴とする請求項１に記載の多機能ビデオカメラ電話。
【請求項３】
前記モニター部に固定部材に固定する固定部を設けることを特徴とする
請求項１又は２に記載の多機能ビデオカメラ電話。
【請求項４】
前記本体部に夜間撮影用のライトを備えることを特徴とする請求項１〜３のいずれかに記載の多機能ビデオカメラ電話。
【発明の詳細な説明】
【技術分野】
【０００１】
本発明は、電話機能、テレビ電話機能、デジタルカメラ機能、デジタルビデオカメラ機能、録画機能、ラジオ、テレビ受信機能を備えた多機能ビデオカメラ電話に関する。
【背景技術】
【０００２】
携帯電話にデジタルカメラ機能やテレビ電話機能、液晶モニターを備えた機種が開発されている。この携帯電話では、利用者は液晶モニターに表示される受信した画像を見ながら、液晶モニター部に配置されたデジタルカメラで自身の画像を撮影し、通話先に送信することでテレビ電話の機能を果たしている。
【特許文献１】特開平６−２９２１９５号公報
【発明の開示】
【発明が解決しようとする課題】
【０００３】
しかしながら、従来の携帯型テレビ電話は、撮影カメラが、液晶モニター部に配置されたＣＣＤカメラ１つのみであるため、旅行先で回りの景色等自分の顔以外を撮影する場合、撮影レンズの向きを変え、液晶モニターが見えない状態で撮影しなければならず、風景や動画を撮影するのに不便であった。
【０００４】
本発明は、従来の携帯型テレビ電話の問題を解決する、自身の顔、回りの風景、静止画、動画の撮影が容易で、撮影した静止画、動画のリアルタイム画像、録画を送信可能な多機能ビデオテレビ電話を提供することを目的とする。
【課題を解決するための手段】
【０００５】
本第１発明は、前記課題を解決するために、電話機能、テレビ電話機能、スチールカメラ機能、ビデオカメラ機能、録画機能、ラジオ、テレビ受信機能を備えた多機能ビデオカメラ電話において、本体部と液晶パネルを備えたモニター部とが回転軸により上下に回動可能に連結され、モニター部に第１撮影カメラを備え、本体部に第２撮影カメラを備え、音声、画像を送受信する通信機能を備え、前記液晶パネルに、受信した画像、第１撮影カメラによる画像、第２撮影カメラによる画像の何れかを選択し、選択された画像の、静止画像又は動画を選択的に表示する手段を備えることを特徴とする。
【０００６】
本第２発明は、本第１発明の多機能ビデオカメラテレビ電話において、電源として、直接コンセントに接続する手段、太陽電池、回転式充電手段を備え、電源として何れかを選択することを特徴とする。
【０００７】
本第３発明は、本第１又は第２発明の多機能ビデオテレビ電話において、前記モニター部に三脚等の固定部材に固定する固定部を設けることを特徴とする。
【０００８】
本第４発明は、本第１〜第３発明のいずれかの多機能ビデオカメラにおいて、前記本体部に夜間撮影用のライトを備えることを特徴とする。
【発明の効果】
【０００９】
本発明の電話機能、テレビ電話機能、ビデオカメラ機能、ラジオ、テレビ受信機能を備えた多機能ビデオカメラ電話において、本体部と液晶パネルを備えたモニター部とが回転軸により上下に回動可能に連結され、モニター部に第１撮影カメラを備え、本体部に第２撮影カメラを備え、音声、画像を送受信する通信機能を備え、前記液晶パネルに、受信した画像、第１撮影カメラによる画像、第２撮影カメラによる画像の何れかを選択し、選択された画像の、静止画像又は動画を選択的に表示する手段を備える構成により、通話先に地震の顔だけでなく、回りの風景や行事等をリアルタイム画像、録画、静止画像、動画として送信できる。第２撮影カメラがモニター部に対して上下に回動可能であるので、モニター画面を水平に見ながら第２撮影カメラを上下に回動さて撮影ができる。
電源として、直接コンセントに接続する手段、太陽電池、回転式充電手段を備え、電源として何れかを選択する構成により、内外国の僻地等の備品の補充ができない箇所での電池切れ等にも対応できる。
モニター部に三脚等の固定部材に固定する手段を設ける構成により、自分の画像と回りの風景を一人でも撮影でき、防犯用監視カメラとしても使用できる。
本体部に夜間撮影用のライトを備える構成により、夜間でも撮影が可能となる。
【発明を実施するための最良の形態】
【００１０】
本発明の実施の形態を図に基づいて説明する。図１は、本発明の多機能ビデオテレビ電話の概要を示す図である。
【００１１】
多機能ビデオカメラ電話１は、本体部２とモニター部３が回転軸４で回転自在に連結され、本体部２とモニター部３は電気的に連結されている。本体部２には、ズーム機能を備えた第２撮影カメラ、マイク６、電話番号等を入力する操作パネル７、送受信用アンテナ８が配置される。本体の内部には、多機能ビデオカメラ電話１の各機能を制御する制御部、撮影した映像を記憶する記憶部、通信を行う通信部が内蔵される。
【００１２】
モニター部３には、液晶パネル９、第１撮影カメラ１０、スピーカ１１、画面切り替えボタン１２、ライト１３、固定部１４が配置される。
【００１３】
本発明の多機能ビデオカメラ電話１をテレビ電話として使用する場合、操作パネル７で通話先を呼び出し、モニター部３に配置された第１撮影カメラ１０で自身の顔を撮影して通話先に送信しても良いし、本体部２に配置された第２撮影レンズ５を、モニター部３に対して回動させ、第２撮影カメラを水平に向けたり、上向きにしたり、下向きにしたりして、撮影したい回りの風景や、運動会、学芸会等の行事の様子を撮影して送信することもできる。
【００１４】
モニター部３の液晶パネル９には、通信先から受信した画像、第１撮影カメラ１０で撮影した画像、第２撮影カメラ５で撮影した画像を画面切り替えボタン１２により切り替え表示することができる。
【００１５】
音声は、マイク６から音声を通話先に送信し、通話先から受信した音声をスピーカ１１で聞くことができる。イヤホン端子にイヤホンを差し込んで通話先の音声を聞くこともできる。
【００１６】
多機能ビデオカメラ電話１を、携帯電話として使用する場合は、画像の送受信をおこなわないだけで、前述のテレビ電話として使用する場合と同様である。
【００１７】
多機能ビデオカメラ電話１をスチールカメラとして使用する場合、動画、静止画切り替え手段により、静止画として、第１撮影カメラ１０、第２撮影カメラ５で撮影した画像を液晶パネル９に表示する。撮影された画像は記憶部に記憶され、いつでも呼び出して再生でき、通話先に記憶された録画を送信することができる。記憶部は本体内部に半導体メモリを内蔵する形式でも、取り外し可能なメモリカードでも良い。
【００１８】
多機能ビデオカメラ電話１をビデオカメラとして使用する場合、動画、静止画切り替え手段により動画として、第１撮影カメラ１０、第２撮影カメラ５で撮影した画像を液晶パネル９に表示する。ビデオカメラとして使用する場合、ズーム機能を備えた第２撮影カメラ５の方が使いやすい。撮影された画像は記憶部に記憶され、いつでも呼び出して再生でき、通話先に記憶された録画を送信することができる。
【００１９】
多機能ビデオカメラ電話１は、モニター部３の固定部１４を三脚等に固定して使用することができる。固定部１４を防犯上必要位置に固定して、第１撮影カメラ１０、第２撮影カメラの何れかわ監視すべき方に向けて、所定のテレビ電話に送信することで、遠隔からの防犯用監視カメラとしても使用できる。
【００２０】
多機能ビデオカメラ電話の電源としては、直流変換器を介して直接コンセントに連結することができ、太陽電池、回転充電式と複数の電源手段を備え、内外国の僻地等の旅行の際の電池切れ等にも対応できる。
【００２１】
多機能ビデオカメラ電話１のモニター部には、ライト１３が配置されているので、夜間撮影も可能である。第１撮影レカメラ１０、第２撮影カメラ５の何れか又は両方に赤外線カメラ機能を持たせ、暗闇でも撮影可能にしても良い。また、多機能ビデオカメラ電話１にＧＰＳによる位置センサを備えることにより、家族に所在位置を知らせる機能を持たせるようにしても良い。
【００２２】
多機能ビデオカメラ電話１は、ラジオ、テレビ放送の受信も可能で、地震等の災害の情報をすぐに知ることができ、自分の状況も家庭のテレビ電話にすぐに送信できるので、災害による被害を防ぐことができ、犯罪も未然に防止することができる。
【図面の簡単な説明】
【００２３】
【図１】本発明の実施形態を示す図である。
【符号の説明】
【００２４】
１：多機能ビデオカメラ電話
２：本体部
３：モニター部
４：回転軸
５：第２撮影カメラ
６：マイク
７：操作パネル
８：送受信用アンテナ
９：液晶パネル
１０：第１撮影カメラ
１１：スピーカ
１２：画面切り替えボタン１２
１３：ライト
１４：固定部
【図１】
2008160666.tif 000003